(57)【要約】  【課題】  デジタル放送信号の録画データ中の誤りを効率的に補完することができるデジタル放送受信機システムを提供することを目的とする。  【解決手段】  当該デジタル放送受信機システムは受信機１及び受信機２を含んで構成される。受信機１及び２は、それぞれ、受信したデジタル放送信号を録画データとして記録する録画データ蓄積部１９（１９ａ）を備えている。各受信機において、エラー情報記録部２０（２０ａ）には、録画データ中の誤り部分（欠損データ）を特定するエラー情報を格納されている。各受信機における録画データの誤り部分は、各エラー情報に基づいて特定され、該誤り部分に対応する正常なデータを受信機間で互いに送受信することにより、各録画データの誤り部分が補完される。【選択図】      図４
2007043446.tif 000002
【特許請求の範囲】
【請求項１】
受信したデジタル放送信号をデジタルデータとして記録する記録手段を備えた受信機を、複数有して構成されたデジタル放送受信機システムにおいて、
各受信機は、前記デジタルデータ中の誤りを検出し、前記デジタルデータ中のどの部分に該誤りがあるのかを特定するエラー情報を作成するエラー情報作成手段を備えていて、
当該デジタル放送受信機システムは、各受信機のエラー情報に基づきつつ、少なくとも１つの受信機における前記デジタルデータの誤りを正常なデータにて補完するための補完手段を備えている
ことを特徴とするデジタル放送受信機システム。
【請求項２】
前記補完手段は、各受信機のエラー情報に基づいて各受信機における前記デジタルデータに含まれた前記誤りを特定し、各受信機における前記誤りを補完するために必要な前記正常なデータを、各受信機間で互いに送受信することにより、各受信機における前記デジタルデータの誤りの補完を行う
ことを特徴とする請求項１に記載のデジタル放送受信機システム。
【請求項３】
各受信機の前記記録手段にて記録される前記デジタルデータが、特定の種類の番組についてのデジタルデータである場合、
前記補完手段は、１つの受信機における前記デジタルデータの前記誤りのみを前記正常なデータにて補完する一方で、その正常なデータを含んだ他の受信機における前記デジタルデータの記録を消去する
ことを特徴とする請求項１に記載のデジタル放送受信機システム。
【請求項４】
前記特定の種類の番組についてのデジタルデータとは、１世代のみコピーを許可された番組についてのデジタルデータである
ことを特徴とする請求項３に記載のデジタル放送受信機システム。
【請求項５】
前記補完手段は、各受信機間における前記デジタルデータの全部又は一部の送受信を利用して前記補完を行うが、
各受信機間で互いに補完すべきデータがない場合、各受信機間で前記デジタルデータの送受信は行われない
ことを特徴とする請求項１〜請求項４の何れかに記載のデジタル放送受信機システム。
【請求項６】
同一の番組の記録を行っていない受信機間では、前記デジタルデータの送受信は行われない
ことを特徴とする請求項１〜請求項５の何れかに記載のデジタル放送受信機システム。
【請求項７】
前記補完手段は、前記誤りのあるデータを前記正常なデータにて補完するために各受信機が受け取る必要のある補完データのデータ量を、各受信機のエラー情報に基づいて受信機ごとに算出し、何れの受信機に対する前記補完データが最も少ないかを判断する
ことを特徴とする請求項１〜請求項６の何れかに記載のデジタル放送受信機システム。
【請求項８】
前記補完手段によって必要とする前記補完データが最も少ないと判断された受信機に対してのみ、前記補完データが他の受信機から送られる
ことを特徴とする請求項７に記載のデジタル放送受信機システム。
【発明の詳細な説明】
【技術分野】
【０００１】
本発明は、受信したデジタル放送信号に関わるデータを記録する機能を有したデジタル放送受信機システムに関する。
【背景技術】
【０００２】
近年、ハードディスクドライブ等を内蔵して受信したデジタル放送信号のデータ内容を記録可能なデジタル放送受信機の開発が盛んである。しかしながら、そのようなデジタル放送受信機において、放送電波を正常に受信できなかった場合は、その正常に受信できなかった部分のデータに誤り（エラー）がある状態、或いは該データが欠如した状態になり、正常な再生ができない場合がある。
【０００３】
上記の問題を解決するべく、下記特許文献１に記載の構成では、デジタル放送システムを、正しいデータをもったサーバ（例えば放送局）とクライアントとしての受信機とで構成している。そして、受信機がデジタル放送に係るデータを正常に受信できなかった場合は、その欠如したデータをサーバ側に要求し、サーバ側からのデータを再度受信することにより受信機側のデータの補完を行う。
【０００４】
また、下記特許文献２に記載の構成では、デジタル放送において、対象となる放送データが複数回放送される。その放送データは、受信機によって複数回受信される。受信機は、受信した放送データのエラー部分を覚えておき、次に受信したデータが正しいと判断される場合、正しいと判断されるデータにてエラー部分を上書きする。これによって、エラー部分のデータの補完が実現される。
【０００５】
【特許文献１】特開２００１−２９８７２５号公報
【特許文献２】特開２００３−１３４４５９号公報
【発明の開示】
【発明が解決しようとする課題】
【０００６】
しかしながら、上記特許文献１に記載のデジタル放送システムは、放送システムがサーバ・クライアントシステムになっている必要があり、また、受信機からの補完要求に対応する機能をサーバ側に設ける必要がある。
【０００７】
また、上記特許文献２に記載の構成においては、同一の放送データが複数回放送される必要があると共に受信機が同一の放送データを複数回受信する必要があるため、無駄が多く発生する。また、エラー部分を補完できるタイミングは、データが再送されたタイミングに限られてしまう。
【０００８】
本発明は、上記の点に鑑み、デジタル放送信号に関わるデータを正確に記録手段に格納することができるデジタル放送受信機システムを提供することを目的とする。
【課題を解決するための手段】
【０００９】
上記目的を達成するために本発明に係る放送受信機システムは、受信したデジタル放送信号をデジタルデータとして記録する記録手段を備えた受信機を、複数有して構成されたデジタル放送受信機システムにおいて、各受信機は、前記デジタルデータ中の誤りを検出し、前記デジタルデータ中のどの部分に該誤りがあるのかを特定するエラー情報を作成するエラー情報作成手段を備えていて、当該デジタル放送受信機システムは、各受信機のエラー情報に基づきつつ、少なくとも１つの受信機における前記デジタルデータの誤りを正常なデータにて補完するための補完手段を備えていることを特徴とする。
【００１０】
これにより、前記デジタルデータ中の誤りが補完され、前記デジタル放送信号に関わるデータを正確に記録手段に格納することが可能となる。
【００１１】
具体的には、例えば、前記補完手段は、各受信機のエラー情報に基づいて各受信機における前記デジタルデータに含まれた前記誤りを特定し、各受信機における前記誤りを補完するために必要な前記正常なデータを、各受信機間で互いに送受信することにより、各受信機における前記デジタルデータの誤りの補完を行う。
【００１２】
また、例えば、各受信機の前記記録手段にて記録される前記デジタルデータが、特定の種類の番組についてのデジタルデータである場合、前記補完手段は、１つの受信機における前記デジタルデータの前記誤りのみを前記正常なデータにて補完する一方で、その正常なデータを含んだ他の受信機における前記デジタルデータの記録を消去するようにしてもよい。
【００１３】
例えば、前記特定の種類の番組についてのデジタルデータとは、１世代のみコピーを許可された番組についてのデジタルデータである。
【００１４】
また、例えば、前記補完手段は、各受信機間における前記デジタルデータの全部又は一部の送受信を利用して前記補完を行うが、各受信機間で互いに補完すべきデータがない場合、各受信機間で前記デジタルデータの送受信は行われない。
【００１５】
また、例えば、同一の番組の記録を行っていない受信機間では、前記デジタルデータの送受信は行われない。
【００１６】
また、例えば、前記補完手段は、前記誤りのあるデータを前記正常なデータにて補完するために各受信機が受け取る必要のある補完データのデータ量を、各受信機のエラー情報に基づいて受信機ごとに算出し、何れの受信機に対する前記補完データが最も少ないかを判断する。
【００１７】
そして、例えば、前記補完手段によって必要とする前記補完データが最も少ないと判断された受信機に対してのみ、前記補完データが他の受信機から送られるようにしてもよい。
【００１８】
これにより、通信量の削減が図られると共に、該削減に伴う省電力化が期待できる。
【発明の効果】
【００１９】
上述した通り、本発明に係るデジタル放送受信機システムによれば、デジタル放送信号に関わるデータを正確に記録手段に格納することができる。例えば、デジタル放送信号の録画データ中の誤りを効率的に補完することが可能となる。
【発明を実施するための最良の形態】
【００２０】
＜＜第１実施形態＞＞
以下、本発明に係るデジタル放送受信機システムの第１実施形態につき、図面を参照して具体的に説明する。図１は、第１実施形態に係るデジタル放送受信機システムの全体構成を示す図である。図１に示す如く、デジタル放送受信機システムは、受信機１と受信機２とを含んで構成される。
【００２１】
受信機１及び２は、図示されない放送局からのデジタル放送信号を受信可能な受信端末であり、例えば、１セグ放送によるデジタル放送信号を受信可能な携帯電話機等の携帯端末である。地上デジタル放送においては、６ＭＨｚ（メガヘルツ）の帯域が１３のセグメントに分割されており、その１３のセグメントの内の１つのセグメントを利用した携帯端末向けの放送は、「１セグ放送」と呼ばれている。
【００２２】
受信機１と受信機２は、別々の場所でデジタル放送信号であるテレビ放送信号を受信して、選局した番組を録画する。１セグ放送の場合、特に受信場所により電波状態が悪くなる場合があり、正常にデータを受信できない場合が比較的多く発生する。受信機１及び２は１セグ放送向けのテレビ受信端末に限定されないが、以下、説明の具体化のため、受信機１及び２が１セグ放送向けのテレビ受信端末であるとして説明を行う。
【００２３】
図２は、１セグ放送向けのテレビ受信端末としての受信機１の構成を表すブロック図である。受信機２は、受信機１と同じものであり、その内部構成は図２に示すものと同じである。受信機１（又は２）は、アンテナ１１と、チューナ／復調部１２と、ＴＳ分離部１３と、映像デコード部１４と、映像出力部１５と、音声デコード部１６と、音声出力部１７と、録画処理部１８と、録画データ蓄積部１９と、エラー情報記録部２０と、エラー情報処理部２１及び通信部２２と、再生制御部２３と、を有して構成される。
【００２４】
チューナ／復調部１２は、アンテナ１１を介してデジタル放送信号を受信し、ＯＦＤＭ（Orthogonal Frequency Division Multiplexing）伝送方式による変調を復調して、デジタル信号であるＭＰＥＧ２（Moving Picture Experts Group 2）−ＴＳ（Transport Stream）等のトランスポートストリーム信号（以下、「ＴＳ信号」という）を得る。チューナ／復調部１２からのＴＳ信号は、ＴＳ分離部１３によってＴＳパケットに分割される。ＴＳパケットには、映像データを表す映像パケットと、音声データを表す音声パケットと、付加情報データを表す付加情報パケットとがある。
【００２５】
映像デコード部１４は、ＴＳ分離部１３からの映像パケットを復号した映像信号を出力する。映像デコード部１４から出力された映像信号は、映像出力部１５によって映像として表示される。音声デコード部１６は、ＴＳ分離部１３からの音声パケットを復号した音声信号を出力する。音声デコード部１６から出力された音声信号は、スピーカ等からなる音声出力部１７によって音声として出力される。
【００２６】
録画処理部（記録処理部）１８と、ハードディスク等の記録媒体（或いはハードディスクドライブ等の記録装置）から成る録画データ蓄積部（記録手段）１９と、エラー情報記録部２０とによるデジタル放送の録画処理手順について、図３のフローチャートを参照しながら説明する。録画処理部１８は、図示されない操作部に対するユーザの操作等によって発生した録画開始の要求（ステップＳ１）に従って、受信したデジタル放送信号を表すデジタルの録画データを録画データ蓄積部１９に記録させる（ステップＳ２）。例えば、録画処理部１８は、デジタル放送信号を復調して得たＴＳ信号をチューナ／復調部１２から受け、該ＴＳ信号をデジタルの録画データとして録画データ蓄積部１９に記録させる。この際、ＴＳ信号中の必要なデータのみを録画データ蓄積部１９に記憶させるようにする。
【００２７】
また、チューナ／復調部１２は、ＴＳ信号に付加されている誤り検出符号に基づいて該ＴＳ信号を表すデジタルデータ（録画データ）に誤り（エラー）が含まれているか否かを次々と検出し（ステップＳ３）、誤りが含まれている場合、その誤りを特定するエラー情報を作成して録画処理部１８に伝達する。ＴＳ信号に誤り訂正符合が付加されている場合、該誤り訂正符号に基づいて誤り訂正を施し、誤りが訂正しきれなかったことにより残存する誤りを対象としてエラー情報を作成するようにしてもよい。上記エラー情報は、録画データ蓄積部１９に記録されるべき録画データ中のどの部分に誤りがあるのかを特定している。
【００２８】
また、ＴＳ分離部１３は、ＴＳパケットごとにデータの誤りの存在の有無を検出し、ＴＳパケット内に誤りがあった場合、その誤りを特定するエラー情報を録画処理部１８に伝達する。このＴＳ分離部１３から伝達されるエラー情報によっても、録画データ蓄積部１９に記録されるべき録画データ中のどの部分に誤りがあるのかが特定される。例えば、録画データを、時間単位やパケット単位等の任意の（所定の）ブロックにて分割し、上記エラー情報によって、どのブロックに誤りがあるのかを特定する。このように、チューナ／復調部１２及び／又はＴＳ分離部１３は、上記エラー情報を作成するエラー情報作成手段としての機能を有する。
【００２９】
上記のような誤りがあった場合（ステップＳ３のＹ）、録画処理部１８は、上記エラー情報を、録画データ蓄積部１９に記録させる録画データに関連付けつつエラー情報記録部２０に格納する（ステップＳ４）。つまり、エラー情報記録部２０に格納されているエラー情報を参照すれば、録画データ蓄積部１９に記録されている録画データのどの部分に誤りがあるか（或いは、録画データのどの部分が欠損しているか）を特定することができる。更に録画が継続される場合には、ステップＳ２に戻り、録画データの記録が継続される。尚、誤りがない場合は（ステップＳ３のＮ）、エラー情報は作成されず、必要に応じて録画データの記録が継続される。
【００３０】
また更に、録画処理部１８は、ＴＳ分離部１３から得られる上記付加情報データ（付加情報パケット）中の番組情報に関連付けた形で、上記エラー情報をエラー情報記録部２０に格納する。尚、上記付加情報データは、ＴＳ信号中のＬ−ＥＩＴ（Event Information Table）セクションから取得される。
【００３１】
再生制御部２３は、操作部（不図示）に対するユーザの操作等によって発生した再生要求に従って、録画データ蓄積部１９から録画データを読み出し、該録画データをＴＳ分離部１３に供給する。ＴＳ分離部１３は、この録画データを映像パケット、音声パケット及び付加情報パケットに分割し、上述の動作と同様に、映像パケット及び音声パケットを、夫々、映像デコード部１４及び音声デコード部１６に供給する。これにより、録画データは映像及び音声として再生される。
【００３２】
エラー情報記録部２０に格納されたエラー情報は、デジタル放送受信機システムを構成する他の受信機との間で互いに伝達されあう。図４及び図５を参照して、この伝達手法と該伝達を利用した誤りの補完手法の一例について説明する。図４は、受信機１の内部構成の一部と受信機２の内部構成の一部を表したブロック図である。図４において、受信機２における録画データ蓄積部、エラー情報記録部、エラー情報処理部及び通信部を指し示す符号を、受信機１におけるそれらと区別する都合上、夫々、１９ａ、２０ａ、２１ａ及び２２ａとしているが、受信機２における録画データ蓄積部１９ａ、エラー情報記録部２０ａ、エラー情報処理部２１ａ及び通信部２２ａは、夫々、受信機１における録画データ蓄積部１９、エラー情報記録部２０、エラー情報処理部２１及び通信部２２と同じものである。
【００３３】
図５は、上記伝達手法と補完手法の手順を示すフローチャートである。図５の左側に配置されているステップＳ１１〜Ｓ１４の動作は受信機１の動作を表しており、図５の右側に配置されているステップＳ２１〜Ｓ２５の動作は受信機２の動作を表している。尚、何れの受信機が受信機１として動作し、何れの受信機が受信機２として動作するかは、予め設定されているものとする。その設定の内容が操作部（不図示）に対するユーザの操作により変更可能となるように、各受信機を構成してもよい。
【００３４】
以下の説明は、特記しない限り、或る１つの番組（放送内容）についての録画データと該録画データについてのエラー情報とに着目して行う。また、前提条件として、受信機１と受信機２は、同じ番組（データの内容等が完全に一致）についての録画データを、図６に示す如く、それぞれ録画データＤ１及び録画データＤ２として記録しているものとする。
【００３５】
そして、図６に示す如く、受信機１の録画データ蓄積部１９に記録されている録画データＤ１の中に、誤りがあったことに起因して欠損しているデータ（以下、「欠損データＬＤ１」という）があったとする。同様に、受信機２の録画データ蓄積部１９ａに記録されている録画データＤ２の中に、誤りがあったことに起因して欠損しているデータ（以下、「欠損データＬＤ２」という）があったとする。録画データＤ１と録画データＤ２は、同一の番組についての録画データであるため、欠損データＬＤ１及びＬＤ２がなかったならば、録画データＤ１と録画データＤ２のデータ内容は完全に一致する。
【００３６】
また、誤りがなかったならば欠損データＬＤ１に代わって録画データＤ１に含まれるはずであった正常なデータが録画データＤ２に含まれているとし、録画データＤ２中のその正常なデータを、正常データＮＤ２と称する。同様に、誤りがなかったならば欠損データＬＤ２に代わって録画データＤ２に含まれるはずであった正常なデータが録画データＤ１に含まれているとし、録画データＤ１中のその正常なデータを、正常データＮＤ１と称する。そして、今、欠損データＬＤ１とＬＤ２（或いは、正常データＮＤ１とＮＤ２）は重複していないものとする。
【００３７】
まず、録画データの記録が終了すると（或いは、録画データの記録の最中において）、受信機１のエラー情報処理部２１は、通信部２２を介して受信機１におけるエラー情報を無線送信する（ステップＳ１１）。この際、該エラー情報に関連付けられた番組情報も併せて無線送信される。
【００３８】
受信機２は、まずステップＳ２１にて、受信機１からのエラー情報の受信を待機する。受信機１からのエラー情報を通信部２２ａを介して受信すると（ステップＳ２１のＹ）、ステップＳ２２に移行する。受信機１からのエラー情報は通信部２２ａを介してエラー情報処理部２１ａに伝達される。尚、受信機１からのエラー情報を受け取るまで、ステップＳ２１の処理は繰り返される（ステップＳ２１のＮ）。
【００３９】
ステップＳ２２において、受信機２のエラー情報処理部２１ａは、エラー情報記録部２０ａに格納されている自機（受信機２）のエラー情報と、受信機１のエラー情報を比較する。この際、ステップＳ１１において受信機１からエラー情報と共に送信された番組情報と、自機（受信機２）のエラー情報に関連付けられている番組情報とを参照し、同一の番組（デジタル放送信号）についてのエラー情報同士を比較するようにする。ステップＳ２２における、同一の番組（デジタル放送信号）についてのエラー情報同士の比較によって、受信機１の録画データ蓄積部１９と受信機２の録画データ蓄積部１９ａに記録されるべき録画データの誤り部分（欠損部分）が特定される。つまり、ステップＳ２２において、受信機２のエラー情報処理部２１ａは、欠損データＬＤ１及びＬＤ２を認識し、同時に正常データＮＤ１及びＮＤ２を認識する。
【００４０】
ステップＳ２２に終えて移行するステップＳ２３において、エラー情報処理部２１ａは、他機である受信機１が欠損データＬＤ１を補完するために必要とする正常データＮＤ２を、補完データとして通信部２２ａを介して受信機１に送信すると共に、自機（受信機２）が欠損データＬＤ２を補完するために必要とする補完データ（即ち、正常データＮＤ１）を求める要求データを、通信部２２ａを介して受信機１に送信する。
【００４１】
但し、上述した前提条件とは異なるが、欠損データＬＤ１を補完するためのデータが録画データ蓄積部１９ａに無い場合、即ち例えば、欠損データＬＤ１及びＬＤ２が重複している場合や受信機１及び２が同一の番組の録画を行っていなかった場合は、ステップＳ２３における補完データの送信は行われない。また、欠損データＤ１自体がそもそも存在しない場合も、ステップＳ２３における補完データの送信は行われない。この際、エラー情報処理部２１ａが、補完データの送信の代わりに「補完データを有していない」ことを表す応答データを受信機１に送信するようにしてもよい。
【００４２】
同様に、上述した前提条件とは異なるが、欠損データＬＤ２を補完するためのデータが録画データ蓄積部１９に無い場合、即ち例えば、欠損データＬＤ１及びＬＤ２が重複している場合や受信機１及び２が同一の番組の録画を行っていなかった場合は、ステップＳ２３における上記要求データの送信は行われない。また、欠損データＤ２自体がそもそも存在しない場合も、ステップＳ２３における要求データの送信は行われない。この際、エラー情報処理部２１ａが、要求データの送信の代わりに「要求するデータはない」ことを表す応答データを受信機１に送信するようにしてもよい。
【００４３】
また、極端な例であるが、録画データＤ１の全体が欠損しており、録画データＤ２の全体が正常なデータである場合、受信機２から受信機１に対して送信される補完データは、録画データＤ２全体となる。
【００４４】
ステップＳ１１におけるエラー情報の送信の後、受信機１のエラー情報処理部２１は、受信機２からの補完データ及び／又は要求データを受信するのを待機する（ステップＳ１２）。図６の例の場合、補完データと要求データが受信機２から送信される。受信機２からの補完データ及び／又は要求データを通信部２２を介して受信すると（ステップＳ１２のＹ）、ステップＳ１３に移行する。尚、受信機２からの補完データ及び／又は要求データを受信することなく、上述の「補完データを有していない」ことを表す応答データ及び／又は「要求するデータはない」ことを表す応答データを受信した場合も、ステップＳ１３に移行する。また、受信機２からの補完データ及び／又は要求データ（又は応答データ）を受け取るまで、ステップＳ１２の処理は繰り返される（ステップＳ１２のＮ）。
【００４５】
ステップＳ１３において、受信機１のエラー情報処理部２１は、ステップＳ１２で受信した補完データ（即ち、正常データＮＤ２）にて、録画データ蓄積部１９に記録されている録画データＤ１内の欠損データＬＤ１を補完する。これにより、録画データＤ１内に欠損データはなくなる。但し、上述した前提条件とは異なるが、「補完データを有していない」ことを表す応答データが受信機２から送られてきた場合は、勿論、欠損データＬＤ１の補完は行われない。
【００４６】
ステップＳ１３を終えて移行するステップＳ１４において、受信機１のエラー情報処理部２１は、ステップＳ１２にて受信した要求データに従い、録画データ蓄積部１９に記録されている録画データＤ１内の正常データＮＤ１を、補完データとして通信部２２を介して受信機２に送信する。但し、上述した前提条件とは異なるが、「要求するデータはない」ことを表す応答データが受信機２から送られてきた場合は、ステップＳ１４における補完データの送信は行われない。
【００４７】
ステップＳ２３の処理の後、受信機２のエラー情報処理部２１ａは、受信機１からの補完データを受信するのを待機する（ステップＳ２４）。受信機１からの補完データを通信部２２ａを介して受信すると（ステップＳ２４のＹ）、ステップＳ２５に移行する。受信機１からの補完データを受け取るまで、ステップＳ２４の処理は繰り返される（ステップＳ２４のＮ）。但し、上述した前提条件とは異なるが、ステップＳ２３において要求データの送信が行われなかった場合は、ステップＳ２４及びステップＳ２５の処理は行われない。
【００４８】
ステップＳ２５において、受信機２のエラー情報処理部２１ａは、ステップＳ２４にて受信した補完データ（即ち、正常データＮＤ１）にて、録画データ蓄積部１９ａに記録されている録画データＤ２内の欠損データＬＤ２を補完する。これにより、録画データＤ２内に欠損データはなくなる。上記のように各受信機を構成することにより、不特定多数の録画データを持つ受信機間で互いに欠損データの補完を行うことが可能となる。
【００４９】
また、上述の動作を以下のように変形しても良い（この変形を施した例を、「変形例１」という）。変形例１に係るステップＳ２２に、各エラー情報に基づいて欠損データＬＤ１とＬＤ２のデータ量を比較する処理を加える。そして、（欠損データＬＤ１のデータ量）＜（欠損データＬＤ２のデータ量）が成立する場合、ステップＳ２３において、エラー情報処理部２１ａは、正常データＮＤ２を補完データとして受信機１に送信する一方で正常データＮＤ１を要求する要求データを送信しないようにする。この補完データの送信により、録画データ蓄積部１９に記録されている録画データＤ１内の欠損データＬＤ１は正常データＮＤ２にて補完される。要求データが送信されないため、受信機２側の録画データＤ２内の欠損データＬＤ２は補完されないが、通信量の削減及びこれに伴う省電力化が図られる。
【００５０】
変形例１において、逆に、（欠損データＬＤ１のデータ量）＞（欠損データＬＤ２のデータ量）が成立する場合、ステップＳ２３において、エラー情報処理部２１ａは、正常データＮＤ１を要求する要求データを受信機１に送信する一方で正常データＮＤ２の補完データを送信しない。この要求データを受け、送信機１のエラー情報処理部２１は、正常データＮＤ１を補完データとして受信機２に送信する。この補完データの送信により、録画データ蓄積部１９ａに記録されている録画データＤ２内の欠損データＬＤ２は正常データＮＤ１にて補完されるが、受信機１側の録画データＤ１内の欠損データＬＤ１は補完されない。このように、変形例１においては、受けとるべき補完データのデータ量が最も少ない受信機に対してのみ他の受信機から補完データが送られる。
【００５１】
２台の受信機（受信機１と受信機２）の動作に着目して本実施形態に係るデジタル放送受信機システムの動作を説明したが、当該デジタル放送受信機システムは、３台以上の受信機から構成することもできる。当該デジタル放送受信機システムが、３台以上の受信機から構成される場合、何れかの受信機が上記の受信機１として動作し、他の受信機が上記の受信機２として動作する。例えば、第１の受信機と第２の受信機と第３の受信機の３台の受信機からデジタル放送受信機システムが構成される場合、第１の受信機が上記の受信機１として動作し、第２及び第３の受信機が上記の受信機２として動作する。そして、第１の受信機と第２の受信機の間と、第１の受信機と第３の受信機の間の夫々で、上述の動作が行われる。
【００５２】
また、上記の第１、第２及び第３の受信機からデジタル放送受信機システムを構成する場合において、上述の変形例１を適用する場合は、例えば、まず受信機１として動作する第１の受信機に対して、受信機２として動作する第２及び第３の受信機が、第２及び第３の受信機におけるエラー情報及び該エラー情報に関連付けられた番組情報を送信すればよい。これにより、第１の受信機のエラー情報処理部２１は、第１、第２及び第３の受信機の全てにおけるエラー情報及び該エラー情報に関連付けられた番組情報を認識することできる。
【００５３】
そして、第１の受信機のエラー情報処理部２１は、第１、第２及び第３の受信機の全てにおけるエラー情報及び該エラー情報に関連付けられた番組情報を参照して、同一の番組（デジタル放送信号）についてのエラー情報同士を比較することにより、「録画データ中に含まれる誤りのあるデータを正常なデータにて補完するために各受信機が受け取る必要のある補完データのデータ量」を受信機ごとに算出し、算出した補完データのデータ量が最も小さくなる受信機を特定する。
【００５４】
例えば、第１、第２及び第３の受信機の録画データ蓄積部１９に記録されている同一の番組についての録画データを、それぞれ録画データＤ１、Ｄ２及びＤ３とし、録画データＤ１、Ｄ２及びＤ３の中に、それぞれ欠損データ（欠損しているデータ）ＬＤ１、ＬＤ２及びＬＤ３があった場合を考える。また、欠損データＬＤ１、ＬＤ２及びＬＤ３が重複していないものとする。この場合において、例えば、（欠損データＬＤ１のデータ量）＞（欠損データＬＤ２のデータ量）、且つ、（欠損データＬＤ３のデータ量）＞（欠損データＬＤ２のデータ量）が成立する場合、「録画データＤ２中に含まれる誤りのあるデータ（即ち、欠損データＬＤ２）を正常なデータにて補完するために第２の受信機が受け取る必要のある補完データのデータ量」は、他の受信機のおけるそれらよりも小さい。従って、この場合、第２の受信機に対してのみ、欠損データＬＤ２を補完するために必要な補完データ（即ち、例えば正常データＮＤ１）が送られる。その補完データは、第１の受信機又は第３の受信機が送るようにすればよい。
【００５５】
＜＜第２実施形態＞＞
ところで、地上デジタル放送等においては、著作権保護の観点からデジタル放送信号により配信される番組の録画データのコピー（複製）が制限される場合がある。この制限の有無及び種類は、デジタル放送信号に付加されているコピー制御情報（Copy Control Information ：ＣＣＩ）によって特定される。受信機１及び２が録画する番組が、１世代のみコピーを許可された番組である場合（所謂コピーアットワンスである場合）の動作を、第２実施形態として説明する。
【００５６】
第２実施形態に係るデジタル放送受信機システムの全体構成は、第１実施形態（図１）と同じであり、該デジタル放送受信機システムが、受信機１と受信機２とを含んで構成されるものとして説明を行う。また、本実施形態に係る受信機１と受信機２の内部構成は、図２及び図４にて示された第１実施形態のそれらと同じであるため、重複する説明を省略し、本実施形態の特異な点であるエラー情報の伝達を利用した誤りの補完手法に着目して以下の説明を行う。
【００５７】
図７は、本実施形態に係る補完手法の手順を示すフローチャートである。図７の左側に配置されているステップＳ１１、Ｓ３２及びＳ１３の動作は受信機１の動作を表しており、図７の右側に配置されているステップＳ２１、Ｓ２２、Ｓ４３及びＳ４６の動作は受信機２の動作を表している。尚、何れの受信機が受信機１として動作し、何れの受信機が受信機２として動作するかは、予め設定されているものとする。その設定の内容が操作部（不図示）に対するユーザの操作により変更可能となるように、各受信機を構成してもよい。
【００５８】
以下の説明は、特記しない限り、或る１つの番組（放送内容）についての録画データと該録画データについてのエラー情報とに着目して行う。また、前提条件として、受信機１と受信機２は、１世代のみコピーを許可された同じ番組（データの内容等が完全に一致）についての録画データを、図６に示す如く、それぞれ録画データＤ１及び録画データＤ２として記録しているものとする。そして、第１実施形態と同様に、録画データＤ１には欠損データＬＤ１及び正常データＮＤ１が含まれていると共に、録画データＤ２には欠損データＬＤ２及び正常データＮＤ２が含まれているものとする。
【００５９】
受信機１におけるステップＳ１１の動作並びに受信機２におけるステップＳ２１及びＳ２２の動作は、第１実施形態におけるそれらと同じである。即ち、受信機１のエラー情報処理部２１から、通信部２２を介して受信機１におけるエラー情報が番組情報と共に無線送信され（ステップＳ１１）、受信機２のエラー情報処理部２１ａは該エラー情報及び番組情報を受信する（ステップＳ２１）。エラー情報処理部２１ａは、同一の番組についての、自機（受信機２）のエラー情報と受信機１のエラー情報とを比較する（ステップＳ２２）。
【００６０】
ステップＳ２２におけるエラー情報の比較によって、受信機２のエラー情報処理部２１ａが、欠損データＬＤ１及びＬＤ２並びに正常データＮＤ１及びＮＤ２を認識すると、ステップＳ４３に移行する。
【００６１】
ステップＳ４３において、エラー情報処理部２１ａは、他機である受信機１が欠損データＬＤ１を補完するために必要とする正常データＮＤ２を、補完データとして通信部２２ａを介して受信機１に送信する。この際、第１実施形態と異なり、要求データの送信は行わない。ステップＳ４３を終えるとステップＳ４６に移行し、受信機２のエラー情報処理部２１ａは、上記コピー制御情報に従って、正常データＮＤ２を含む録画データＤ２の記録を自機の録画データ蓄積部１９ａから消去する。
【００６２】
但し、上述した前提条件とは異なるが、欠損データＬＤ１を補完するためのデータが録画データ蓄積部１９ａに無い場合、即ち例えば、欠損データＬＤ１及びＬＤ２が重複している場合や受信機１及び２が同一の番組の録画を行っていなかった場合は、ステップＳ４３における補完データの送信及びステップＳ４６における録画データＤ２の消去は行われない。また、欠損データＤ１自体がそもそも存在しない場合も、ステップＳ４３における補完データの送信及びステップＳ４６における録画データＤ２の消去は行われない。この際、エラー情報処理部２１ａが、補完データの送信の代わりに「補完データを有していない」ことを表す応答データを受信機１に送信するようにしてもよい。
【００６３】
ステップＳ１１におけるエラー情報の送信の後、受信機１のエラー情報処理部２１は、受信機２からの補完データを受信するのを待機する（ステップＳ３２）。受信機２からの補完データを通信部２２を介して受信すると（ステップＳ３２のＹ）、ステップＳ１３に移行する。尚、受信機２からの補完データを受信することなく、上述の「補完データを有していない」ことを表す応答データを受信した場合は、ステップＳ１３の処理は行われず、図７に示す動作を終了する。また、受信機２からの補完データ（又は応答データ）を受け取るまで、ステップＳ３２の処理は繰り返される（ステップＳ３２のＮ）。
【００６４】
ステップＳ１３において、受信機１のエラー情報処理部２１は、ステップＳ３２で受信した補完データ（即ち、正常データＮＤ２）にて、録画データ蓄積部１９に記録されている録画データＤ１内の欠損データＬＤ１を補完する。これにより、録画データＤ１内に欠損データはなくなる。
【００６５】
また、上述の動作を以下のように変形しても良い（この変形を施した例を、「変形例２」という）。変形例２に係るステップＳ２２に、各エラー情報に基づいて欠損データＬＤ１とＬＤ２のデータ量を比較する処理を加える。ここで、（欠損データＬＤ１のデータ量）＜（欠損データＬＤ２のデータ量）が成立する場合は、上述と同じ動作が行われる。
【００６６】
逆に、（欠損データＬＤ１のデータ量）＞（欠損データＬＤ２のデータ量）が成立する場合、ステップＳ４３において、エラー情報処理部２１ａは、正常データＮＤ１を要求する要求データを受信機１に送信する一方で正常データＮＤ２の補完データを送信しない。この要求データを受けると、送信機１のエラー情報処理部２１は、正常データＮＤ１を補完データとして受信機２に送信する一方で、上記コピー制御情報に従って、正常データＮＤ１を含む録画データＤ１の記録を自機の録画データ蓄積部１９から消去する。送信機１側から送信される正常データＮＤ１の補完データにて、録画データ蓄積部１９ａに記録されている録画データＤ２内の欠損データＬＤ２は補完される。このように、変形例２においては、受けとるべき補完データのデータ量が最も少ない受信機に対してのみ他の受信機から補完データが送られ、他の受信機における録画データは消去される。
【００６７】
２台の受信機（受信機１と受信機２）の動作に着目して本実施形態に係るデジタル放送受信機システムの動作を説明したが、当該デジタル放送受信機システムは、３台以上の受信機から構成することもできる。当該デジタル放送受信機システムが、３台以上の受信機から構成される場合、何れかの受信機が上記の受信機１として動作し、他の受信機が上記の受信機２として動作する。例えば、第１の受信機と第２の受信機と第３の受信機の３台の受信機からデジタル放送受信機システムが構成される場合、第１の受信機が上記の受信機１として動作し、第２及び第３の受信機が上記の受信機２として動作する。そして、第１の受信機と第２の受信機の間と、第１の受信機と第３の受信機の間の夫々で、上述の動作が行われる。また、或る１つの受信機（例えば、第１の受信機）に対して補完データを送信した場合、他の受信機（例えば、第２及び第３の受信機）における同一の番組についての録画データを全て消去するようにしてもよい。
【００６８】
また、上記の第１、第２及び第３の受信機からデジタル放送受信機システムを構成する場合において、上述の変形例２を適用する場合は、例えば、まず受信機１として動作する第１の受信機に対して、受信機２として動作する第２及び第３の受信機が、第２及び第３の受信機におけるエラー情報及び該エラー情報に関連付けられた番組情報を送信すればよい。これにより、第１の受信機のエラー情報処理部２１は、第１、第２及び第３の受信機の全てにおけるエラー情報及び該エラー情報に関連付けられた番組情報を認識することできる。
【００６９】
そして、第１の受信機のエラー情報処理部２１は、第１、第２及び第３の受信機の全てにおけるエラー情報及び該エラー情報に関連付けられた番組情報を参照して、同一の番組（デジタル放送信号）についてのエラー情報同士を比較することにより、「録画データ中に含まれる誤りのあるデータを正常なデータにて補完するために各受信機が受け取る必要のある補完データのデータ量」を受信機ごとに算出し、算出した補完データのデータ量が最も小さくなる受信機を特定する。
【００７０】
例えば、第１、第２及び第３の受信機の録画データ蓄積部１９に記録されている同一の番組についての録画データを、それぞれ録画データＤ１、Ｄ２及びＤ３とし、録画データＤ１、Ｄ２及びＤ３の中に、それぞれ欠損データ（欠損しているデータ）ＬＤ１、ＬＤ２及びＬＤ３があった場合を考える。また、欠損データＬＤ１、ＬＤ２及びＬＤ３が重複していないものとする。この場合において、例えば、（欠損データＬＤ１のデータ量）＞（欠損データＬＤ２のデータ量）、且つ、（欠損データＬＤ３のデータ量）＞（欠損データＬＤ２のデータ量）が成立する場合、「録画データＤ２中に含まれる誤りのあるデータ（即ち、欠損データＬＤ２）を正常なデータにて補完するために第２の受信機が受け取る必要のある補完データのデータ量」は、他の受信機のおけるそれらよりも小さい。従って、この場合、第２の受信機に対してのみ、欠損データＬＤ２を補完するために必要な補完データ（即ち、例えば正常データＮＤ１）が送られる。その補完データは、第１の受信機又は第３の受信機が送るようにすればよい。そして、その補完データを送信した受信機（第１の受信機又は第３の受信機）は、その補完データ（正常データ）を含む録画データの記録を自機の録画データ蓄積部１９から消去するようにする。
【００７１】
尚、第１及び第２実施形態において、各受信機のエラー情報処理部２１（例えば、図４における受信機１のエラー情報処理部２１と受信機２のエラー情報処理部２１ａ）は、１又は２以上の受信機における録画データの誤りを正常なデータにて補完するための補完手段として機能する。
【図面の簡単な説明】
【００７２】
【図１】本発明に係るデジタル放送受信機システムの全体構成を示す図である。
【図２】図１の各受信機の構成を示すブロック図である。
【図３】図１の各受信機の録画動作を表すフローチャートである。
【図４】図１の受信機間の通信動作を司る部分の構成ブロック図である。
【図５】本発明の第１実施形態に係る欠損データの補完手法を説明するための図である。
【図６】図１の各受信機に記録されている録画データの状況を表す図である。
【図７】本発明の第２実施形態に係る欠損データの補完手法を説明するための図である。
【符号の説明】
【００７３】
１、２  受信機
１１  アンテナ
１２  チューナ／復調部
１３  ＴＳ分離部
１４  映像デコード部
１５  映像出力部
１６  音声デコード部
１７  音声出力部
１８  録画処理部
１９  録画データ蓄積部
２０  エラー情報記録部
２１  エラー情報処理部
２２  通信部
２３  再生制御部
【図１】
2007043446.tif 000003
【図２】
2007043446.tif 000004
【図３】
2007043446.tif 000005
【図４】
2007043446.tif 000006
【図５】
2007043446.tif 000007
【図６】
2007043446.tif 000008
【図７】
2007043446.tif 000009